(57)【要約】  【課題】水性植物等を生育させてビオトープのような湿地系のシステムを実現することで水分蒸散量を十分に確保し、且つそのように水分蒸散量を十分に確保しても、屋上部にかかる積載荷重を少なくすることができる屋上緑化施工用パネル、屋上緑化の施工システムを提供することを課題とする。  【解決手段】パネル本体の中央に、土壌等の植栽基盤材の載置部分となる下段部が形成され、植栽マットを前記下段部側に向かって傾斜させた状態で載置することができるように、前記下段部から連続して上向きに傾斜してパネル本体の側辺側に中段部が形成され、該中段部の両側であって、パネル本体１の４角のコーナー部に、作業者の歩行部分となる上段部が、前記中段部より高い位置に形成されていることを特徴とする。【選択図】図３
2009022245.tif 000002
【特許請求の範囲】
【請求項１】
パネル本体（１）の中央に、土壌等の植栽基盤材（１６）の載置部分となる下段部（４）が形成され、植栽マット（１５）を前記下段部（４）側に向かって傾斜させた状態で載置することができるように、前記下段部（４）から連続して上向きに傾斜してパネル本体（１）の側辺側に中段部（３）が形成され、該中段部（３）の両側であって、パネル本体（１）の４角のコーナー部に、作業者の歩行部分となる上段部（２）が、前記中段部（３）より高い位置に形成されていることを特徴とする屋上緑化施工用パネル。
【請求項２】
パネル本体（１）の中央に、土壌等の植栽基盤材（１６）の載置部分となる下段部（４）が形成され、植栽マット（１５）を前記下段部（４）側に向かって傾斜させた状態で載置することができるように、前記下段部（４）から連続して上向きに傾斜してパネル本体（１）の側辺側に中段部（３）が形成され、該中段部（３）の両側であって、パネル本体（１）の４角のコーナー部に、作業者の歩行部分となる上段部（２）が形成された屋上緑化施工用パネル（６）が、屋上に複数個配置されていることを特徴とする屋上緑化の施工システム。
【請求項３】
下段部（４）に載置される植栽基盤材（１６）には湿地植物を植栽し、中段部（
３）に載置される植栽マット（１５）には、陸生植物が生育しうるように該陸生植物の種子、苗等の陸生植物生育材を保持させる請求項２記載の屋上緑化の施工システム。
【請求項４】
下段部（４）に、灌水を供給する灌水パイプ（１４）が配置されている請求項３記載の屋上緑化の施工システム。
【請求項５】
灌水パイプ（１４）が、複数配置された屋上緑化施工用パネル（６）を循環するように配置され、且つ灌水が、貯水槽（９）から前記灌水パイプ（１４）を介して供給され、供給された灌水が、前記複数配置された屋上緑化施工用パネル（６）を循環して前記貯水槽（９）へ返送されるように、該貯水槽（９）が屋根勾配の下流側に設けられている請求項４記載の屋上緑化の施工システム。
【発明の詳細な説明】
【技術分野】
【０００１】
本発明は、屋上緑化施工用パネルと、そのパネルを複数個用いて屋上緑化の施工を行なう屋上緑化の施工システムに関する。
【背景技術】
【０００２】
近年、都市緑化等の要請が高まり、それに応じて建築物の屋上に植生パネル等を設置して緑化を行う技術が開発され、普及しつつある。このような屋上緑化は、建築物の屋上で植物を栽培し、屋上面からの熱の吸収、放出を緩和することで、いわゆるヒートアイランド現象を抑制するものであり、また建築物の屋上で植物を栽培が行なわれることで、大気汚染等に対する環境改善を図ることも意図するものである。そして、このような屋上緑化の技術として、たとえば下記特許文献１や特許文献２のような特許出願もなされている。
【０００３】
このような屋上緑化の技術は、一般に集中管理型緑化と粗放型緑化とに大別される。集中管理型緑化では、ヒートアイランド現象抑制等、単に技術的観点からのみならず、人工の庭園等を施工して美観を維持することも重視されるので、一定期間ごとに念入りなメンテナンスを行なう等、その名のごとく集中的な管理が必要となる。
【０００４】
これに対して粗放型緑化では、集中管理型緑化のように美観が要求されるわけではなく、専ら技術的な観点のみ考慮することで足りるとされ、またメンテナンスも極力省力することが望まれている。このようなメンテナンス省力の観点から、粗放型緑化では、灌水をさほど必要としないセダム類が主たる植物種として用いられている。
【０００５】
また、土壌は植栽の基盤となるものであり、植物を好適に生育させるには積層される土壌の厚さも一定以上必要であるが、上記セダム植物は他の植物に比べて土壌層の厚さが薄くても生育するので、屋上部に多大な積載荷重をかけない、いわゆる薄層緑化に最も適した植物種であることも、セダム植物が主として粗放型緑化に用いられている理由の１つでもある。
【０００６】
しかしながら、上述のようなヒートアイランド対策として屋上緑化がなされているのは、植物の水による蒸散によって屋上近傍における大気の温度を下げるからであり、この作用を有効に生じさせるには、蒸散量の多い植物を用いることが本来は好ましい。この点、セダム植物はもともと蒸散量が多くない植物種であるので、ヒートアイランド対策には最適な植物種であるとはいえない。
【０００７】
また、植物種が限られることは、緑化が本来目的とすべき植物の多様性を実現することを困難にすることにもなる。この意味でもセダム植物以外の植物種を用いた屋上緑化の開発が望まれている。そして、このような要求は、上記特許文献１や特許文献２に記載された発明によっては満たすことができない。
【０００８】
一方、水性植物、水耕植物等を生育させるために、ビオトープと称される施工システムも開発され、そのようなビオトープに関する特許出願として、たとえば下記特許文献３のような特許出願がなされている。
【０００９】
このようなビオトープは、人工の池や川の貯水部のようなイメージを現出させて施工を行うので、植物のみならず、昆虫等の生物も持続して生育できるような生態系を確保することができ、生態の多様性を実現する上では、非常に好適な技術である。また水性植物、水耕植物等を生育させるだけでなく、貯水部等もシステムに具備させているので、水分蒸散量が不足するようなことは決してなく、ヒートアイランド対策として用いるのにも好都合である。従って、このようなビオトープの技術を屋上緑化に採用することが考えられる。
【００１０】
しかしながら、このようなビオトープは、そもそも施工されるシステムに水を多く含んでいるので、このビオトープを屋上緑化に適用した場合、屋上部に多大な積載荷重がかかることとなる。従って、ビオトープのような技術を屋上緑化に適用することは実際には困難である。
【００１１】
【特許文献１】特開２００３−１４３９４０号公報
【特許文献２】特開２００４−８９００５号公報
【特許文献３】特開２００５−３０８９２７号公報
【発明の開示】
【発明が解決しようとする課題】
【００１２】
本発明は、このような問題点を解決するためになされたもので、水性植物等を生育させてビオトープのような湿地系のシステムを実現することで水分蒸散量を十分に確保し、且つそのように水分蒸散量を十分に確保しても、屋上部にかかる積載荷重を少なくすることができる屋上緑化施工用パネル、屋上緑化の施工システムを提供することを課題とするものである。
【課題を解決するための手段】
【００１３】
本発明は、このような課題を解決するために、屋上緑化施工用パネルと、そのパネルを用いた屋上緑化の施工システムとしてなされたもので、屋上緑化施工用パネルとしての特徴は、パネル本体１の中央に、土壌等の植栽基盤材１６の載置部分となる下段部４が形成され、植栽マット１５を前記下段部４側に向かって傾斜させた状態で載置することができるように、前記下段部４から連続して上向きに傾斜してパネル本体１の側辺側に中段部３が形成され、該中段部３の両側であって、パネル本体１の４角のコーナー部に、作業者の歩行部分となる上段部２が、前記中段部３より高い位置に形成されていることである。
【００１４】
中段部３は、たとえば略１／４の円弧を描くように湾曲した面や勾配面に形成され、上段部２は、たとえば角柱状や１／４の円柱状に形成される。また下段部４は、たとえば灌水を供給する灌水パイプ１４を配置することができるような概ね平坦面に形成される。
【００１５】
また、屋上緑化の施工システムとしての特徴は、パネル本体１の中央に、土壌等の植栽基盤材１６の載置部分となる下段部４が形成され、植栽マット１５を前記下段部２側に向かって傾斜させた状態で載置することができるように、前記下段部２から連続して上向きに傾斜してパネル本体１の側辺側に中段部３が形成され、該中段部３の両側であって、パネル本体１の４角のコーナー部に、作業者の歩行部分となる上段部４が形成された屋上緑化施工用パネル６が、屋上に複数個配置されていることである。
【００１６】
下段部４に載置される植栽基盤材１６には湿地植物を植栽し、中段部３に載置される植栽マット１５には、陸生植物が生育しうるように該陸生植物の種子、苗等の陸生植物生育材を保持させることが可能である。また下段部４の上部に、灌水を供給する灌水パイプ１４を配置することも可能である。この場合、灌水パイプ１４は、複数配置された屋上緑化施工用パネル６を循環するように配置されることが望ましい。また、灌水が、貯水槽９から灌水パイプ１４を介して供給され、供給された灌水が、前記貯水槽９へ返送されるように、該貯水槽９が屋根勾配の下流側に設けられることが望ましい。
【発明の効果】
【００１７】
本発明は、上述のように、パネル本体の中央に、土壌等の植栽基盤材の載置部分となる下段部が形成され、植物を生育させるマットを前記下段部側に向かって傾斜させた状態で載置することができるように、前記下段部から連続して上向きに傾斜してパネル本体の側辺側に中段部が形成され、該中段部の両側であって、パネル本体の４角のコーナー部に、作業者の歩行部分となる上段部が、前記中段部より高い位置に形成されたものであるため、下段部に植栽基盤材を載置し、その植栽基盤材にたとえば湿地植物を植栽するとともに灌水等を行い、また中段部には、たとえば陸生植物が生育しうるようなマットを載置することによって、従来のビオトープで採用されていた湿地植物を屋上緑化に適用することができ、且つ多様な植物を生育させることができる。
【００１８】
しかも、パネル本体が、上述のような上段部、中段部、下段部の異なる３段の高さに形成されているので、上段部及び中段部の部分は、結果的に下段部の部分から
嵩上げされた状態となり、土壌等の植栽基盤材が収容され、また水が供給されて貯留される部分は、下段部の部分のみであるので、従来のビオトープのような湿地植物を屋上緑化に適用することができるにもかかわらず、水の利用によって屋上部に多大な積載荷重がかかることもないという効果がある。
【００１９】
上述のような湿地植物を利用したシステムを屋上緑化に適用することができ、水分蒸散量が過不足となるようなことがなく、しかもビオトープ等に比べて屋上の設置面にかかる荷重を著しく減少させることができるので、ヒートアイランド現象の抑制に好適で、植物の多様性を実現することもできる、屋上緑化施工用パネルや、そのパネルを用いた施工システムを提供することができるという効果がある。
【発明を実施するための最良の形態】
【００２０】
以下、本発明の実施形態について説明する。
先ず、一実施形態としての屋上緑化施工用パネルについて説明する。図１はその屋上緑化施工用パネルの平面図、図２は図１のＡ−Ａ線断面図、図３は同屋上緑化施工用パネルの概略斜視図をそれぞれ示す。
【００２１】
図１乃至図３において、１は屋上緑化施工用パネルのパネル本体で、全体が平面正方形状に形成され、且つ全体がポリプロピレン等の合成樹脂で構成されている。
このパネル本体１は、作業者が歩行するための上段部２と、陸生植物の生育場所となる中段部３と、湿地植物の生育場所となる下段部４とを具備して構成されている。
【００２２】
上段部２は、前記パネル本体１の４角のコーナー部に形成され、中段部３は、該４角の上段部２間のパネル本体１の４側辺部に形成され、下段部４は、前記上段部２及び中段部３より内側の、パネル本体１の中央部分に形成されている。また上段部２は四角柱状に形成され、中段部３は略１／４の円弧を描くような湾曲面を有して形成され、下段部４は平坦面に形成されている。
【００２３】
上段部２は作業者が歩行するための部分であり、中段部３は、植栽マットを載置する部分である。この上段部２及び中段部３は、また嵩上げのための部分でもあり、
該上段部２や中段部３が形成されることによって、下段部４の部分がパネル本体１の底面として所定の深さに形成されることとなる。そして、このように所定の深さに形成された下段部４上に、後述のように土壌等の植栽基盤材が載置されることとなる。
【００２４】
そして、このような構成からなる屋上緑化施工用パネル６を使用する場合には、このような屋上緑化施工用パネル６を複数個準備し、図４乃至図６に示すように、その複数個の屋上緑化施工用パネル６を縦横に配置する。図４乃至図６の実施形態においては、２列に並列させて複数個配置される。このように屋上緑化施工用パネル６が縦横に配置された状態においては、隣接する４個のパネル本体１の上段部２が集合して１個のブロック状の上段部２を形成し、隣接する２個のパネル本体１の中段部３が結合して、略半円状の中段部３を形成する。
【００２５】
この場合、屋上部分７の上面には、予め複数の断熱用ブロック８が載置されており、その断熱用ブロック８の上面に前記屋上緑化施工用パネル６が載置されることとなる。この断熱用ブロック８は、全体が発泡ポリスチレン等の発泡性合成樹脂で構成されている。
【００２６】
発泡ポリスチレン等の発泡性合成樹脂は軽量の素材であるので、断熱効果を奏させる一方で、その断熱用ブロック８を屋上部分７に設置することによって、
その屋上部分７に多大な積載荷重がかかるようなこともない。
【００２７】
さらに、２列に並設された屋上緑化施工用パネル６のうち、端部２列の屋上緑化施工用パネル６の外側には、貯水槽９が設置されている。この貯水槽９には、後述する灌水用の水が貯留される。また該貯水槽９の側部には、ポンプ１０及びフィルター１１が設けられ、フィルター１１は、貯水槽９の外部に設置されたソーラーパネル１２に接続されている。さらに貯水槽９の外側、及び２列に並設された複数の
屋上緑化施工用パネル６の長手方向側面側には、壁体１３が設けられている。
【００２８】
次に、上記のように複数の屋上緑化施工用パネル６を設置し、貯水槽９を設置し、さらに壁体１３を設置した後、図７及び図８の２点鎖線で示すように、灌水パイプ
１４を配置する。この灌水パイプ１４は、同図に示すように、その一端側が、貯水槽９内、より具体的には貯水槽９内のポンプ１０に接続されており、該貯水槽９から４個の屋上緑化施工用パネル６の下段部４の上面に接触させながら、該４個の屋上緑化施工用パネル６を循環するように配置される。そして、４個の屋上緑化施工用パネル６を循環した灌水パイプ１４の他端側は、貯水槽９へ返送されるごとく、該貯水槽９に臨出される。また、この灌水パイプ１４は、図示しないが、多数の細孔が穿設されており、その細孔からいわゆる点滴のごとく水が抽出されるように構成されたものである。
【００２９】
次に、上記のように灌水パイプ１４を配置した後、図９及び図１０に示すように、
屋上緑化施工用パネル６のパネル本体１の中段部３に、植栽マット１５を載置する。この植栽マット１５は、隣接する屋上緑化施工用パネル６の２個の中段部３に跨がるように設置される。従って、植栽マット１５は、略１／４の円弧を描くような湾曲面を有して形成された２個の中段部３を合体させて形成される半円状の形状に沿って、両側が下向きに湾曲した状態で２個の中段部３上に載置されることとなる。
この植栽マット１５は、植物繊維等で構成され、各種の陸生植物の種子、苗等の陸生植物生育材を混入し保持させて陸生植物が生育しうるように、或いは生育した陸生植物が具備されて構成されている。
【００３０】
次に、図１１及び図１２に示すように、屋上緑化施工用パネル６のパネル本体１の下段部４上に、土壌等の植栽基盤材１６を載置する。この場合において、複数の
屋上緑化施工用パネル６が配置された状態においては、下段部４は上段部２や中段部３によって包囲された状態となり、その包囲された状態で、下段部４の部分が所定の深さに形成されることとなるので、その所定の深さに形成された下段部４の部分に土壌等の植栽基盤材１６が収納された状態となるのである。結果的に植栽基盤材がパネル本体１内に収納されることとなる。本実施形態では、土壌として軽量の人工土壌が用いられている。またパーライト等を土壌とともに収納することも可能である。この土壌等の植栽基盤材１６には、湿地植物（水性植物）の種子、苗等が混入される。或いは生育した湿地植物（水性植物）が植栽基盤材１６に植栽される。
【００３１】
また、２個の中段部３に跨がるように載置された植栽マット１５は、その両端部が２個の中段部３の略半円状の形状に沿って下向きに湾曲した状態で載置されているので、その植栽マット１５の両端部は、下段部４に向かって延出した状態となり、従って、上述のように下段部４上に土壌等の植栽基盤材１６が載置された状態においては、その土壌等の植栽基盤材１６内に前記植栽マット１５の両端部が埋設されることとなる。
【００３２】
以上のように、植栽基盤材１６を下段部４上に載置した状態で、いわゆる湿地状態とする屋上緑化の施工システムの施工が完了する。
【００３３】
このように施工システムを施工した後、上記貯水槽９から灌水パイプ１４を介して該貯水槽９内に水を、各屋上緑化施工用パネル６に収容された土壌等の植栽基盤材１６に供給する。この場合において、灌水パイプ１４は、上述のように多数の細孔が穿設されたいわゆる点滴型のものであるため、貯水槽９内のポンプ１０によって灌水パイプ１４を介して屋上緑化施工用パネル６に供給される水は、その灌水パイプ１４の多数の細孔から抽出され、従って、供給される水は、植栽基盤材１６側へ一気に噴射されることはなく、上記細孔から点滴のごとく徐々に抽出されることになる。このため、植栽基盤材１６が水と不用意に攪拌、混合されるようなこともなく、植栽基盤材１６の上面の位置が乱れるようなこともないのである。
【００３４】
さらに、屋上部分７の傾斜勾配の下流側に貯水槽９を配置することで、上述のように貯水槽９から灌水パイプ１４を介して屋上緑化施工用パネル６側へ供給され、４個の屋上緑化施工用パネル６を循環するように配置された灌水パイプ１４によって供給される水は、各屋上緑化施工用パネル６に収容された植栽基盤材１６を通過しつつ、好適に貯水槽９へ返送されることとなる。
【００３５】
さらに、上記のような灌水パイプ１４による水の供給のみならず、降雨等によって水が散布される場合もあり、その場合には急速に植栽基盤材１６に水が供給されて屋上緑化施工用パネル６から水が溢流するおそれもある。しかしながら、上記のように傾斜勾配の下流側に貯水槽９を配置することで、溢流した水も貯水槽９側へ好適に返送されることとなるので、屋上緑化施工用パネル６に多量の水が不用意に貯留されることもなく、植物のいわゆる根腐れ等が生じるおそれもないのである。そして、適度の水が供給されることによって、湿地植物の生育に好適な環境が保持されることとなる。
【００３６】
一方、２個の中段部３に跨がるように載置された植栽マット１５は、陸生植物の種子、苗等の陸生植物生育材が混入されて保持され、或いは生育した陸生植物が具備されて構成されたものであるが、該植栽マット１５の両端部が２個の中段部３の略半円状の形状に沿って下向きに湾曲した状態で該中段部３上に載置され、該植栽マット１５の両端部が土壌等の植栽基盤材１６内に埋設された状態となっているので、上述のように各屋上緑化施工用パネル６に収納された植栽基盤材１６に灌水パイプ１４を介して水が供給されることによって、その供給された水は、植物繊維からなる植栽マット１５にも浸透することとなり、その結果、一般には乾燥して枯れ易いと認識されている植栽マット１５に具備された陸生植物の、乾燥による枯れを未然に防止することが可能となる。
【００３７】
以上のように、本実施形態においては、パネル本体１の上段部２は、作業者が歩行するための領域として確保することができ、またパネル本体１の中段部３は、陸生植物の生育場所としての環境を確保することができ、さらにパネル本体１の下段
部４は、湿地植物の生育場所としての環境を確保することができる、屋上緑化施工用パネル６を提供することが可能となった。
【００３８】
また、このような屋上緑化施工用パネル６を複数配置し、屋上部分におけるわずかな傾斜勾配を利用して循環状態で灌水を行うことで、ビオトープで採用されていた湿地植物を屋上緑化に適用することができ、しかも湿地植物のみならず陸生植物も上記のようなパネル本体１の中段部３を利用して生育させることができるので、
多様な植物を生育させることも可能となる。
【００３９】
また、パネル本体１が上記上段部２、中段部３、下段部４の異なる３段の高さに形成されているので、上段部及び中段部の部分が下段部の部分から嵩上げされた状態となるので、また水は上述のような灌水パイプ１４によって徐々に供給されるので、土壌等の植栽基盤材１６に水が供給されるにもかかわらず、屋上部に多大な積載荷重がかかることもない。
【００４０】
この結果、上述のような湿地植物を利用したシステムを屋上緑化に適用することができ、水分蒸散量が過不足となるようなことがなく、しかもビオトープ等に比べて屋上の設置面にかかる荷重を著しく減少させることができるので、ヒートアイランド現象の抑制に好適で、植物の多様性を実現できる屋上緑化施工用パネルや、そのパネルを用いた施工システムを提供することが可能となる。
【００４１】
尚、上記実施形態では、パネル本体１を略平面正方形状に形成したが、パネル本体の形状は上記実施形態に限定されるものではなく、その形状は問わない。また、該実施形態では、パネル本体１がポリプロピレンで構成されていたが、パネル本体１の材質も該実施形態に限定されない。たとえばポリエチレン等のようなものを用いることも可能である。さらに、合成樹脂以外の素材、たとえばアルミニウム等の金属を用いることも可能であるが、屋上部に積載荷重を極力かけないようにする観点からは、合成樹脂を用いるのが好ましい。
【００４２】
また、該実施形態では、屋上緑化施工用パネル６の下面側であって、屋上部分７の上面側に、予め複数の断熱用ブロック８を載置したため、上述のような好ましい効果が得られたが、このような断熱用ブロック８を屋上緑化施工用パネル６の下面側に載置することは本発明に必須の条件ではない。
【００４３】
さらに、屋上の設置面にかかる積載荷重を考慮する必要性から、屋上緑化施工用パネル６の重量の数値を考慮する必要もある。この場合、屋上の設置面には、上記のようなパネル本体１の重量と、パネル本体１内に収納される土壌等の植栽基盤材
１６と、該植栽基盤材１６に供給される水との総重量がかかることになるが、特にパネル本体１と水との総計の重量を考慮することが重要である。
【００４４】
さらに、植栽基盤材１６の種類も上記実施形態の土壌、人工土壌等に限定されるものではない。また、粒状のパーライトや、それ以外の軽量骨材を充填することも可能である。
【図面の簡単な説明】
【００４５】
【図１】一実施形態の屋上緑化施工用パネルの概略平面図。
【図２】図１のＡ−Ａ線断面図。
【図３】同概略斜視図。
【図４】屋上緑化施工用パネルを複数配置した状態の概略斜視図。
【図５】同概略平面図。
【図６】図５のＢ−Ｂ線断面図。
【図７】灌水パイプを配置した状態の概略平面図。
【図８】図７のＣ−Ｃ線断面図。
【図９】植栽マットを中段部に載置した状態の概略平面図。
【図１０】図９のＤ−Ｄ線断面図。
【図１１】土壌等の植栽基盤材をパネルに収納させた状態の概略平面図。
【図１２】図９のＥ−Ｅ線断面図。
【符号の説明】
【００４６】
１…パネル本体              ２…上段部
３…中段部                  ４…下段部
６…屋上緑化施工用パネル    ９…貯水槽
１４…灌水パイプ            １５…植栽マット
１６…植栽基盤材
【図１】
2009022245.tif 000003
【図２】
2009022245.tif 000004
【図３】
2009022245.tif 000005
【図４】
2009022245.tif 000006
【図５】
2009022245.tif 000007
【図６】
2009022245.tif 000008
【図７】
2009022245.tif 000009
【図８】
2009022245.tif 000010
【図９】
2009022245.tif 000011
【図１０】
2009022245.tif 000012
【図１１】
2009022245.tif 000013
【図１２】
2009022245.tif 000014